(57)【要約】【課題】折りブレードがウェブと接触するときの集中的な面圧と折りブレードの擦れにより生じるオフセット汚れを抑制して、印刷物の商品性を向上させる。【解決手段】互いに対接して回転する一対の折り込みローラ１０，１０と、一対の折り込みローラの対接部へウェブを送り込んで折丁６を形成する印刷機の折胴８と、折胴と協働してウェブを断裁する鋸胴と、折胴８周外方向へ突出してウェブ５を押し込む折りブレード８３と、一対の折り込みローラ１０，１０側へ近接する方向にウェブ５紙面を張り出させる突出手段とを備えるウェブ折り装置。【選択図】図１
2008019077.tif 000002
【特許請求の範囲】
【請求項１】
互いに対接して回転する一対の折り込みローラと、
上記一対の折り込みローラの対接部へウェブを送り込んで折丁を形成する印刷機の折胴と、
上記折胴と協働してウェブを断裁する鋸胴と、
上記折胴の回転方向とは逆方向に回転するとともに上記対接部に近づくに応じて上記折胴周外方向へ突出して上記ウェブを上記対接部へ押し込む折りブレードと、
上記一対の折り込みローラ側へ近接する方向に上記ウェブ紙面を張り出させる突出手段と、
を備えたことを特徴とするウェブ折り装置。
【請求項２】
上記突出手段は、上記折りブレードが上記折胴周外へ突出する上記折胴の表面に山状の凸部を設けたことを特徴とする請求項１記載のウェブ折り装置。
【請求項３】
上記突出手段は、上記折りブレードの折りブレード回転方向上流側に設けられるとともに、同折りブレードが上記折胴周外へ突出する前に上記ウェブと上記折胴との間に空間を形成する山状のブロックであることを特徴とする請求項１記載のウェブ折り装置。
【請求項４】
上記突出手段は、上記折りブレードが上記折胴周外へ突出する上記折胴の表面に設けた山状の凸部と、上記折りブレードの折りブレード回転方向上流側に設けられるとともに、同折りブレードが上記折胴周外へ突出する前に上記ウェブと上記折胴との間に空間を形成する山状のブロックとで成ることを特徴とする請求項１記載のウェブ折り装置。
【発明の詳細な説明】
【技術分野】
【０００１】
本発明は、鋸胴により裁断したウェブ（ｗｅｂ）を、折りブレードにより一対の折り込みローラ間に送り込んで折丁が形成される、印刷機のウェブ折り装置に関する。
【背景技術】
【０００２】
従来、新聞用オフセット輪転機で使用される折り装置、鋸胴および折胴としては、例えば、本出願人が出願をし、公開された特開２００３−２３８０２８号公報（特許文献１）のものが公知である。すなわち、上記特許文献１には、従来技術として折り装置、鋸胴、および折胴の記載がある。図４は新聞用オフセット輪転機（但し、印刷機は図示しない）の全体構成を示す模式図、図５は上記鋸胴と折胴との要部を示す模式図である。
折り装置の構造の概要は図４に示されるように、前工程で印刷機により印刷を施されて連続的に搬入されてくるウェブ（ｗｅｂ）は、ドラグローラ１により案内された後、折機の入口部に設けた三角板２により縦方向（ウェブ走行方向）に沿うようにひねられて二つ折りされる。次に、二つ折りされたウェブ５は、下方に配設されたリードインローラ３，３やニッピングローラ４，４等に挟持されて、これらローラ３，３，４，４の回転により移送され、鋸胴７と折胴８との間に送り込まれていく。
【０００３】
鋸胴７の外周面には、図５に示されるごとく、鋸刃７３を組み込んだ鋸台７２が、鋸胴７の同一直径上に、すなわち、１８０度位相をずらした状態で２組設けられている。各鋸台７２はそれぞれ軸方向に沿って鋸胴７に組み付けられている。一方、折胴８の外周面には、鋸刃受８１，針装置８２、折りブレード８３がそれぞれ同一直径上に２組づつ設けられている。鋸胴７と折胴８とは通常ほぼ同一の直径に設定され、鋸胴７の鋸刃７３と折胴８の鋸刃受８１とは、互いに同期しながらあたかも噛み合うような方向に対向して回転する。つまり鋸胴７は時計方向に回転し、折胴８は反時計方向に回転する。そして、鋸胴７と折胴８とは一定周期でウェブ５の走行面で互いに対面するようにしてその位置がそれぞれ設定されている。
【０００４】
上記鋸刃受８１は、鋸胴７の鋸刃７３の受け部材として、折胴８の外周面に折胴の回転軸に沿う方向に設けられ、ゴム等の弾性体で形成される。また、各針装置８２は、折胴８の回転軸方向に沿って設けた針軸８２ａに一端を固定された針アーム８２ｂと、この針アーム８２ｂの他端に固定された針８２ｃとを備えて構成されている。
上記針８２ｃは、針軸８２ａを介して折胴８と連動し、周期的に折胴８の外表面から出入りするようになっている。つまり、針８２ｃは、その先端がウェブ５の走行面よりも鋸胴７側に突出する位置と、上記ウェブ走行面から折胴８内部に後退（退避）する位置との間で揺動するようになっている。このため、上記突出位置では、鋸刃７３と鋸刃受８１とにより挟み付け切断されたウェブ５の切断部近傍のすぐ上流側（ウェブ５の先端部）に突き刺さるようになっている。
【０００５】
折りブレード８３は、折胴８に組み込まれた折軸８３ａと、この折軸８３ａに突設されたくし歯状に形成したブレード本体８３ｂとから構成される。この折りブレード８３は折軸８３ａを回転中心として時計方向に回転し、この回転運動を通じて折胴８の回転位相に応じて折胴８から出入りできるようになっている。折りブレード８３は、折り込みローラ１０，１０に近づくようになると、折胴８の周面から外方へ突出し、ウェブの折り位置よりやや上流で、言い換えれば、針装置８２側で、ウェブ紙面に当接し、ウェブ紙面上を折り位置方向へ擦れながらウェブ５を折り込みローラ１０，１０の間へ押し込むようになっている。
【０００６】
このような構成により、ウェブ５は、先ず、胴７，８の間で、鋸刃７３と鋸刃受８１とにより幅方向に裁断されるとともに、この裁断部の直ぐ上流側のところのウェブ５に、折胴８の針装置８２の針８２ｃが突き刺さる。針８２ｃに突き刺されたウェブ５は、折胴８の外周面へ巻き付けられた状態で反時計方向へ搬送されていく。こうして、針８２ｃに突き刺されたウェブ５の先端と、次の裁断部との中間となる部位が折り込みローラ１０，１０の直上位置に近づくにつれ、針８２ｃはウェブ走行面から退避し、ウェブ５から針抜きが行われ抜けていく。
【０００７】
折り込みローラ１０，１０と折りブレード８３とがウェブ走行面で対面するようになると、ウェブ５はガイド９，９により案内されながら、折りブレード８３により折り込みローラ１０，１０間へ押し込まれる。このとき、ウェブ５の上流側（胴７，８のニップ側）は、鋸刃７３，鋸刃受８１により裁断されているので、ウェブ５に拘束力から解放されている。
【０００８】
そのため、折りブレード８３により押し込まれたウェブ５は、折り込みローラ１０，１０により挟持されウェブ流れ方向に対して直角に横折りされ、折丁６として胴７，８と連動して回転する羽根車１１に移送される。折丁６は羽根車１１の羽根１１ａの相互間で受け取られた後、羽根車１１の回転に応じて下流の排紙コンベア１２へと受け渡されていく。
【特許文献１】特開２００３−２３８０２８号公報
【発明の開示】
【発明が解決しようとする課題】
【０００９】
しかしながら、上記従来技術にあっては、折りブレード本体８３ｂは、折り込みローラ１０，１０に近づくようになると、それに応じて折胴８の周面から外方へ突出するようになり、折り込みローラ１０，１０の間に位置にくると、最大の突出量となってウェブ５をローラ１０，１０の対接部へ押し込むように回転していく。すなわち、折りブレード８３がウェブ５に当たってから一対の折り込みローラ１０，１０の対接部へ送り込まれるまでの間、折りブレード８３はウェブ５に作用する高張力に打ち勝つようにして強引にウェブを二つ折りにしていくようになっている。このように、折りブレード本体８３ｂ先端は、折胴８側に高張力で巻き付いたウェブ５を高速度で叩くようにして当たり、このとき折りブレード８３とウェブ５との間に生じる集中的な面圧と擦れによる相対摩擦により、ウェブ５にくし歯状あるいは線状の紋様やインクが付着し易くなり、折りブレード８３の跡目、すなわち所謂ウェブ間においてはオフセット汚れを発生しかねないという課題があった。
【００１０】
また、上記従来技術にあっては、オフセット汚れを抑制する方法として、折胴８または折り込みローラ１０，１０のいずれか一方側を他方側に接近させるレイアウトにし、折りブレードがウェブに接する時間、接してから擦る距離を小さくすることも可能である。しかし、折りブレード８３が折り込みローラ１０，１０に干渉してしまい、両者を互いに接近させるには一定の限界もある。
【００１１】
本発明は、上記問題点を解消することを目的として工夫されたものであり、折りブレードがウェブと接触するときに、折りブレードの擦れにより生じるオフセット汚れを抑制して、印刷物の商品性を低下させないようにした印刷機のウェブ折り装置を提供することを目的とする。
【課題を解決するための手段】
【００１２】
上記課題を解決するために、本発明においては次のような手段を講ずることとした。すなわち、請求項１記載の発明は、互いに対接して回転する一対の折り込みローラと、上記一対の折り込みローラの対接部へウェブを送り込んで折丁を形成する印刷機の折胴と、上記折胴と協働してウェブを断裁する鋸胴と、
上記折胴の回転方向とは逆方向に回転するとともに上記対接部に近づくに応じて上記折胴周外方向へ突出して上記ウェブを上記対接部へ押し込む折りブレードと、上記一対の折り込みローラ側へ近接する方向に上記ウェブ紙面を張り出させる突出手段とを備えたことを特徴とする。
【００１３】
また、請求項２記載の発明は、請求項１記載のウェブ折り装置に係り、上記突出手段は、上記折りブレードが上記折胴周外へ突出する上記折胴の表面に山状の凸部を設けたことを特徴とする。
【００１４】
また、請求項３記載の発明は、請求項１記載のウェブ折り装置に係り、上記突出手段は、上記折りブレードの折りブレード回転方向上流側に設けられるとともに、同折りブレードが上記折胴周外へ突出する前に上記ウェブと上記折胴との間に空間を形成する山状のブロックであることを特徴とする。
【００１５】
また、請求項４記載の発明は、請求項１記載のウェブ折り装置に係り、上記突出手段は、上記折りブレードが上記折胴周外へ突出する上記折胴の表面に設けた山状の凸部と、上記折りブレードの折りブレード回転方向上流側に設けられるとともに、同折りブレードが上記折胴周外へ突出する前に上記ウェブと上記折胴との間に空間を形成する山状のブロックとで成ることを特徴とする。
【発明の効果】
【００１６】
請求項１記載の発明によれば、一対の折り込みローラ側へ近接方向にウェブ紙面を張り出させる突出手段を折胴に設けているため、突出手段に支持されるウェブ紙面は折り込みローラ側に近づけられる。このため、折りブレードがウェブに当たってから一対の折り込みローラの対接部へ送り込まれるまでの過程の中で、折りブレードが高速でウェブ紙面を叩いても、ウェブは折り込みローラ側へ近づけられているので、ウェブ紙面に対する折りブレードの当たりを緩和することができるようになるとともに、ウェブ紙面そのものに接触する時間及び両者の相対摩擦による接触移動距離を短くできる。さらに、突出手段によりウェブ紙面のテンション（緊張力）を緩和した状態で折り込みブレードを接触させるので、折丁の折線をきれいに決めることが可能となる。その結果、くし歯状あるいは線状の紋様やインクがウェブに付着することによる折りブレードの跡目、すなわち所謂オフセット汚れの発生を良好に抑制することができ、ひいては印刷物の商品性を維持できるようになる。また、折胴の外径をことさらに大きくしたりして折り込みローラ側に総体的に接近させる必要もないので、簡単な構造により、折りブレードの回転をより確実に確保しつつ、オフセット汚れを抑制した態様でウェブに折目を付けることができ、製造コスト安価な印刷機の折胴を実現できるようになる。
【００１７】
また、請求項２記載の発明によれば、突出手段を、折りブレードが折胴周外へ突出する折胴の表面に設けた凸部に形成したので、ウェブは折り込みローラ側へ近づけられている。このため、折りブレードが高速でウェブ紙面を叩いて接触する場合、ウェブ紙面に対する当たりは緩和され、弱められて接触する。また、ウェブは折り込みローラ側へ近づけられることにより、即ち、ウェブ紙面が折胴から離されることにより、折りブレードがウェブ紙面に当る位置が、突出手段の無いものに比べ、折り位置に近づけることができる。これらにより、折りブレードがウェブ紙面に接触する強さ、時間、および、折りブレードとウェブ紙面の相対摩擦による接触移動距離を短くできる。したがって、くし歯状あるいは線状の紋様やインクがウェブに付着することによる折りブレードの跡目、すなわち所謂オフセット汚れの発生をスムーズに解消することができ、ひいては印刷物の商品性を維持できるようになる。更には、凸部の突出量を調整することにより、折りブレードがウェブ紙面に当る位置を調整することが可能となる。
【００１８】
また、請求項３記載の発明によれば、突出手段を、折りブレードの折りブレード回転方向上流側に設けられるとともに、同折りブレードが折胴周外へ突出する前にウェブと折胴との間に空間を形成する山状のブロックに形成しているため、折りブレードが折胴周外へ突出する前に、事前に折りブレード側に設けた山状のブロックが折胴の周外へ突出する。これにより、ウェブを折胴周面から離し、ウェブに作用しているテンションを積極的に緩ませたところで折りブレードがウェブに当たって接触し、折線を決めるようになる。その結果、折りブレードによる跡目汚れを効果的に軽減できるようになる。
【００１９】
また、請求項４記載の発明によれば、突出手段を、折りブレードが折胴周外へ突出する折胴の表面に設けた山状の凸部と、折りブレードの折りブレード回転方向上流側に設けられるとともに、同折りブレードが折胴周外へ突出する前にウェブと折胴との間に空間を形成する山状のブロックとで形成した構成にしているので、上記山状の凸部と上記山状のブロックとの相乗作用により、ウェブ紙面に対する折りブレードの初期当たり時における衝撃力を弱めた態様で接触させることができる。またこの場合、折りブレードのウェブ紙面に対する接触時間、両者の相対摩擦による接触移動距離をそれぞれ短くできる。さらには、上記ブロックによってウェブが折胴周面から離され、ウェブ紙面のテンションが積極的に緩和された状態で折りブレードによる折線が決定されるため、折丁の折線をきれいに決めることができる。その結果、ブレードの跡目に起因するオフセット汚れを良好に軽減できるようになり、ひいては印刷物の商品性をそれだけ維持向上できるようになる。
【発明を実施するための最良の形態】
【００２０】
本発明を実施するための最良の形態について、図１〜図３を基に説明する。なお、前述した従来装置のものと同一ないし均等部分または部材についてはこれらに付したものと同一の符号を用いて説明する。また、各図中における矢印は各部材の回転方向を示す。
【００２１】
本実施の形態においては、前工程の図示しない印刷装置から連続的に搬入されたウェブ５は、三角板により縦方向（ウェブ走行方向）に沿ってひねられて二つ折りにされる。リードインローラやニッピングローラ等により点Ｐ１を回転中心として時計方向に回転する鋸胴７と、点Ｐ２を回転中心として反時計方向に回転する折胴８との間に送り込まれていく。
鋸胴７の外周面には、図１に示すように、鋸胴７の周面から外方に先端を突出させた鋸刃７３を組み込んだ一対の鋸台７２が鋸胴７が１８０度の位相をずらして埋め込まれるようにして設けられている。これら鋸刃７３は回転軸Ｐ１の軸方向に沿って鋸胴７に組み込まれているものである。
【００２２】
一方、鋸胴７と近接して回転する折胴８の外周面には、上記鋸台７２の鋸刃７３の食い込む先端部位を受け入れるように形成した鋸刃受８１、および同鋸刃受８１近傍であって折胴８の回転方向上流側に設置した針装置８２が１２０度間隔で設けられる。また、折胴８には、２組の折りブレード８３を設置した折りブレード装置８３０が組み込まれている。この折りブレード装置８３０に配置した折りブレード８３は、周期的に折胴８のほぼ円周形状を備えた外周面を出没するように形成され、折軸８３ａに突設された折りブレード本体８３ｂ（以下では、場合により単に「折りブレード８３」ともいう）を有する。鋸胴７および折胴８の各回転周期は、鋸刃７３が鋸刃受８１に必ず受け入れられるような回転数で回転制御されるようになっている。なお、折りブレード装置８３０の詳細な構成については後述することとする。
【００２３】
ところで、上記鋸刃受８１は、鋸刃７３の受け部材として、折胴８の外周面に回転軸Ｐ２の軸方向に沿うように設けられ、例えばゴム等の弾性体で形成される。
また、折胴８の周面近傍に１２０度間隔で取り付けた針装置８２の針８２ｃは、折胴８と連動し、その回転方向上流側に傾斜させて周期的に出没するようになっている。すなわち、針８２ｃの挙動は、その先端がウェブ５の走行面から鋸胴７側に突出する位置と、ウェブ走行面から折胴８の内部に退避する位置との間に亘って出没制御され、突出した位置では鋸刃７３と鋸刃受８１とにより挟み付けられてカット（切断）された直ぐ上流側のウェブ先端部が突き刺さされ、ウェブ５を折胴８の回転に追随して搬送されていくようになっている。
なお、針装置８２の構成については、本実施の形態は、上記従来装置のように針軸８２ａに設けた針アーム８２ｂを回転駆動する態様のものとは相違するが、その機能は実質的に両者略同一であるので、上記従来装置における針装置８２の態様であってもよいのは勿論である。
【００２４】
また、折胴８の外周面には、山状の凸部８６が外方へ出っ張るようにボルト等の締結具により設けられる。この折胴８の表面から周外へ突出する凸部８６は、滑らかな湾曲面（カム面）を形成され、折胴８に対して１２０度の間隔を存して、各針装置８２の略中間位置に取り付けられる。また、凸部８６の設けられる位置は、好ましくは、折りブレード本体８３ｂが折胴８の周外へ突出し始める時期とほぼ同期して凸部８６が位置するようにする。なお、凸部８６は、例えば、折胴８と一体に形成した態様、あるいは図１の丸部において図示したように、折胴８に適宜のボルト等による締結具を用いて取り付けるようにした固定バンドの如きカバー部材８７に凸部８６を固定する態様でもよいものである。係る凸部８６によって、ウェブ５は折り込みローラ１０，１０側へ近づけられるようにして回転するようになる。これにより、折りブレード本体８３ｂが高速でウェブ紙面を叩いても、ウェブ紙面に作用する折りブレードの当たり力は緩和されるような状態で接触する。
【００２５】
上記折りブレード８３は、折胴８内の空間に配設された折りブレード装置８３０に設けられている。この折りブレード８３は上記した従来装置のそれとは駆動機構が異なるように構成されている。すなわち、折りブレード装置８３０は点Ｐ３を回転中心として反時計方向に回転する回転支持台８３０ａを有し、回転中心Ｐ３を通る直径線上における対称な回転支持台８３０ａ上にそれぞれ時計方向に自転（回転）する２組の折りブレード８３が組み込まれた形態となっている。したがって、折りブレード本体８３ｂは、上記従来装置のように折胴８と同期して一体に回転する態様ではなく、折胴８とは別の駆動機構により回転する折りブレード装置８３０の回転支持台８３０ａで駆動する。そして、折りブレード装置８３０、折りブレード８３のおよび折胴８３の三者間における回転位相差制御は図示されない制御手段により適宜制御されるようになっている。
【００２６】
また、折りブレード８３、より具体的には折軸８３ａには、折りブレード本体８３ｂが設けられた位置よりも折りブレード回転方向上流側に山状のブロック８３ｃが設けられている。このブロック８３ｃは折りブレード本体８３ｂと同期して時計方向に回転するもので、折りブレード本体８３ｂが折胴８周外へ突出し始める前に、折胴８の周外へ突出する。これにより、予めウェブ５と折胴８との間に空間Ｓを形成し、ウェブに作用するテンションを能動的に、積極的に緩和する露払い的な機能を呈するようになっている。
【００２７】
なお、本実施の形態では、折りブレード８３を折りブレード装置８３０により折胴８とは別の駆動源により折胴８に対して遊転しながら自転させる態様に構成したが、勿論、上記従来装置で述べたように、折りブレード８３を折胴８の固定軸回りに自転させながらと一体回転させる態様に構成することも可能であるのは言うまでもない。
なおまた、符号１００は、折りブレード本体８３ｂが突設された位置よりも折りブレード本体回転方向の下流側に設けられた突起部を示し、ウェブ５を折胴８の周外方向へ押し出してウェブが折胴８の周面に密着しないようにする機能を有するものである。
【００２８】
本実施の形態の作用を図１〜図３に基づいて説明する。すなわち、図１のように、針８２ｃに突き刺されたウェブ５は、折胴８の回転により、折胴の外周面に巻き付けられた状態で図２に示す回転位相位置まで搬送される。ウェブの先端と次の断裁部とのほぼ中間となる部位が折り込みローラ１０，１０の直上位置に近づく手前までの回転区間では、折りブレード本体８３ｂは、凸部８６近傍のウェブ５の紙面に当たる。そして、折りブレード回転方向上流側に山状のブロック８３ｃは、ウェブの回転方向（時計方向）とは反対方向（反時計方向）に回転駆動され、ウェブ紙面を折り込みローラ１０，１０の対接部へ接近するように張り出されていく。なお、この状態では、ウェブ上流側の次なる断裁部は未だ鋸刃７３による断裁は行われていない。こうして、折りブレード本体８３ｂがさらに折胴８の周外へ突出する前にウェブと折胴との間にはブロック８３ｃによる押し出し力による空間Ｓが形成され、折りブレード本体８３ｂが突出するに相対してブロック８３ｃは折胴８の周内に埋没する。即ち、ウェブに作用するテンションが緩和された状態が創出されるので、折りブレード本体８３ｂは大きな摩擦力でウェブに擦ることなく、短時間で、且つ、ローラ１０，１０の対接部までの短い距離をウェブに当たって折線を容易に、すばやく決めることがきるようになる。
【００２９】
他方、折胴８の回転が進み、ウェブ先端と次の断裁部との中間となる部位近傍がローラ間の直上位置に接近するに応じて、針８２ｃはウェブ走行面から後退し引き抜かれていく。これにより、ウェブの走行方向の先端も拘束力から解放され、ウェブ５の走行方向における両端は折胴８からの拘束を解かれることとなる。他方、これとほぼ同時並行的に、ウェブ５の供給側（上流側）は、鋸刃７３が鋸刃受台８１に食い込んで断裁され、ウェブは折胴８からの拘束から解放される。
【００３０】
さらに、折胴８が回転しつづけ、図３に示すように、折り込みローラ１０，１０と折りブレード８３とが、ウェブ走行面で対面するようになると、ウェブ５はガイド９、９によって案内されながら、折りブレード本体８３ｂによって、折り込みローラ１０，１０間へ押し込まれていく。
こうして、折りブレード８３により押し込まれたウェブ５は、折り込みローラ１０，１０により挟持され、ウェブの流れ方向に対して直角に横折りされ、折丁６として、胴７，８と連動しながら回転する図示されない羽根車を介して後工程へと搬送されていく。
【００３１】
したがって、本実施の形態によれば、山状の凸部８６、或いは山状のブロック８３ｃとの相乗作用により、ウェブ５紙面に対する折りブレード８３の初期当たり時における衝撃力を弱めた態様で接触させることができる。またこの場合、折りブレード８３のウェブ紙面に対する接触時間、両者の相対摩擦による接触移動距離をそれぞれ短くできる。さらには、ブロック８３ｃによってウェブ５が折胴８周面から離され、ウェブ紙面のテンションが緩和された状態で折りブレード８３による折線が決定されるため、折丁６（図３参照）の折線をきれいに決めることができる。その結果、ブレードの跡目に起因するオフセット汚れを良好に軽減できるようになり、ひいては印刷物の商品性をそれだけ維持向上できる効果を奏することができる。
【００３２】
以上、本発明の実施の形態を図面により詳述してきたが、具体的な構成はこの実施の形態に限られるものでなく、本発明の要旨を逸脱しない範囲の設計変更等があっても本発明の範囲に含まれるものである。
例えば、上記実施の形態では、印刷物として新聞を例に挙げて説明したが、この代わりに広告等の印刷にも適用できるのは言うまでもない。
また、鋸胴７は折胴８の回転半径よりも小さく形成したが、両者ほぼ同じ回転半径に設定した胴に形成してもよいのは勿論である。
【図面の簡単な説明】
【００３３】
【図１】本発明の印刷機の折胴に係り、折胴と鋸胴と折り込みローラとの相互位置関係を模式的に示した断面図である。
【図２】図１に示す状態から折胴が回転して進角した状態における折胴と鋸胴とローラとの相互位置関係を示した要部断面図である。
【図３】図２に示す状態から折胴が回転して進角した状態における折胴と鋸胴とローラとの相互位置関係を示した要部断面図である。
【図４】従来装置における全体構成を示す模式図である。
【図５】図４に示した鋸胴と折胴との相互関係の要部を示す模式図である。
【符号の説明】
【００３４】
１  ドラグローラ
２  三角板
３  リードインローラ
４  ニッピングローラ
５  ウェブ
６  折丁
７  鋸胴
８  折胴
９  ガイド
１０  折り込みローラ
１１  羽根車
１２  排紙コンベア
７２  鋸台
７３  鋸刃
８１  鋸刃受
８２  針装置
８２ｃ  針
８３  折りブレード
８３ａ  折軸
８３ｂ  折りブレード本体
８３ｃ  ブロック
８６  凸部
８７  カバー部材
１００  突起部
８３０  折りブレード装置
８３０ａ  回転支持台
Ｓ  空間
Ｐ１  鋸胴の回転中心
Ｐ２  折胴の回転中心
Ｐ３  折りブレード装置における回転支持台の回転中心
【図１】
2008019077.tif 000003
【図２】
2008019077.tif 000004
【図３】
2008019077.tif 000005
【図４】
2008019077.tif 000006
【図５】
2008019077.tif 000007